(57)【要約】【課題】鑑賞者の発声した音声を取得することにより、鑑賞者の関心を画像評価に反映させることができる表示装置を提供する。【解決手段】画像を表示する表示部６と、前記表示部に表示された前記画像を鑑賞する鑑賞者が発声した音声を取得する音声取得部８と、前記音声取得部により取得された取得音声に前記画像の評価に関する音声が含まれるか否かを判定する音声判定部５０と、前記音声判定部により、前記取得音声に前記画像の評価に関する音声が含まれていると判定された場合に、前記画像の評価に関する音声に基づいて前記画像の評価を行う評価部３０とを備える。【選択図】図２
2011130317.tif 000002
【特許請求の範囲】
【請求項１】
画像を表示する表示部と、
前記表示部に表示された前記画像を鑑賞する鑑賞者が発声した音声を取得する音声取得部と、
前記音声取得部により取得された取得音声に前記画像の評価に関する音声が含まれるか否かを判定する音声判定部と、
前記音声判定部により、前記取得音声に前記画像の評価に関する音声が含まれていると判定された場合に、前記画像の評価に関する音声に基づいて前記画像の評価を行う評価部と
を備えることを特徴とする表示装置。
【請求項２】
さらに、前記画像の評価に関するキーワードを示す情報が予め記憶されたキーワード記憶部を備え、
前記音声判定部は、前記取得音声と前記キーワード記憶部に記憶された前記キーワードを示す情報とを比較することにより、前記取得音声に前記画像の評価に関する音声が含まれるか否かを判定することを特徴とする請求項１に記載の表示装置。
【請求項３】
さらに、前記画像が前記表示部に表示された表示時間を計測する計時部を備え、
前記評価部は、前記計時部により計測された前記表示時間に基づいて前記画像を評価することを特徴とする請求項１又は２に記載の表示装置。
【請求項４】
さらに、前記音声取得部により取得された前記取得音声に基づいて前記鑑賞者の性別を判定する第１性別判定部を備え、
前記評価部は、前記第１性別判定部により判定された前記鑑賞者の性別ごとに前記画像の評価を行うことを特徴とする請求項１〜３の何れか一項に記載の表示装置。
【請求項５】
さらに、前記鑑賞者を撮像する撮像部と、
前記撮像部により撮像された前記鑑賞者の撮像画像データを記憶する画像記憶部と、
前記画像記憶部に記憶された前記撮像画像データに基づいて前記鑑賞者の性別を判定する第２性別判定部とを備え、
前記評価部は、前記第２性別判定部により判定された前記鑑賞者の性別ごとに前記画像の評価を行うことを特徴とする請求項１〜４の何れか一項に記載の表示装置。
【請求項６】
さらに、前記鑑賞者が発声する前記音声の音源の位置を特定する音源特定部と、
前記音源特定部により特定された前記音源の位置に基づいて、前記撮像部による撮像方向を変化させる駆動部とを備えることを特徴とする請求項５に記載の表示装置。
【請求項７】
前記音源特定部は、前記音声を取得する２以上のマイクを備えることを特徴とする請求項６記載の表示装置。
【請求項８】
さらに、前記鑑賞者を撮像する撮像部と、
前記撮像部により撮像された前記鑑賞者の撮像画像データを記憶する画像記憶部と、
前記画像記憶部に記憶された前記撮像画像データに基づいて前記鑑賞者の人数を計測する人数計測部とを備え、
前記評価部は、前記人数計測部により計測された前記人数に基づいて前記表示部に表示された前記画像の評価を行うことを特徴とする請求項１〜４の何れか一項に記載の表示装置。
【請求項９】
さらに、前記鑑賞者を撮像する撮像部と、
前記撮像部により撮像された前記鑑賞者の撮像画像データを記憶する画像記憶部と、
前記画像記憶部に記憶された前記撮像画像データに基づいて前記鑑賞者の人数を計測する人数計測部と、
前記人数計測部により計測された前記人数の変化を検出する検出部とを備え、
前記評価部は、前記検出部により検出された前記人数の変化に基づいて前記表示部に表示された前記画像の評価を行うことを特徴とする請求項１〜４の何れか一項に記載の表示装置。
【請求項１０】
前記音声取得部により取得された前記取得音声に基づいて、音量を測定する音量測定部と、
前記音量測定部により測定された前記音量が所定の音量を超えた場合に、前記撮像部を起動させる起動部と
を備えることを特徴とする請求項５〜９の何れか一項に記載の表示装置。
【請求項１１】
前記評価部は、前記音量に基づいて前記画像の評価を行うことを特徴とする請求項１０に記載の表示装置。
【請求項１２】
さらに、前記音声判定部により前記取得音声に操作指示を示す音声が含まれていると判定された場合に、前記操作指示に基く操作を実行させる音声操作制御部を備え、
前記評価部は、前記操作指示を示す音声に基いて画像を評価することを特徴とする請求項１に記載の表示装置。
【発明の詳細な説明】
【技術分野】
【０００１】
本発明は、表示装置に関するものである。
【背景技術】
【０００２】
カメラを備えた表示装置が知られている（例えば、特許文献１参照）。この表示装置によれば、鑑賞者の顔を認識することにより表示する画像の評価を行うことができる。
【先行技術文献】
【特許文献】
【０００３】
【特許文献１】特開２００８−１６５００９号公報
【発明の概要】
【発明が解決しようとする課題】
【０００４】
しかし、上述の表示装置は、カメラが鑑賞者の顔を認識した頻度に基づいて画像の評価を行うにすぎないため、鑑賞者の画像への関心を十分に評価に反映させることができなかった。
【０００５】
本発明の目的は、鑑賞者の発声した音声を取得することにより、鑑賞者の関心を画像評価に反映させることができる表示装置を提供することである。
【課題を解決するための手段】
【０００６】
本発明の電子機器は、画像を表示する表示部と、前記表示部に表示された前記画像を鑑賞する鑑賞者が発声した音声を取得する音声取得部と、前記音声取得部により取得された取得音声に前記画像の評価に関する音声が含まれるか否かを判定する音声判定部と、前記音声判定部により、前記取得音声に前記画像の評価に関する音声が含まれていると判定された場合に、前記画像の評価に関する音声に基づいて前記画像の評価を行う評価部とを備えることを特徴とする。
【発明の効果】
【０００７】
本発明の表示装置によれば、発声した音声に基づいた画像評価を行うことができる。
【図面の簡単な説明】
【０００８】
【図１】実施の形態に係るデジタルフォトフレームの前面を示す斜視図である。
【図２】実施の形態に係るデジタルフォトフレームのシステム構成を示すブロック図である。
【図３】実施の形態に係るデジタルフォトフレームのスライドショー再生処理を示すフローチャートである。
【図４】実施の形態に係るデジタルフォトフレームの音声辞書に記憶されるキーワードを示す図である。
【図５】実施の形態に係るデジタルフォトフレームの画像の評価基準を示す図である。
【図６】実施の形態に係るデジタルフォトフレームにおける画像の評価内容を示す図である。
【図７】実施の形態に係るデジタルフォトフレームにおける画像のランキング表を示す図である。
【図８】実施の形態に係るデジタルフォトフレームの音声辞書に記憶されるキーワードを示す図である。
【図９】実施の形態に係るデジタルフォトフレームにおける画像の評価内容を示す図である。
【図１０】実施の形態に係るデジタルフォトフレームにおける評価した画像を表示する際の外観図である。
【発明を実施するための形態】
【０００９】
以下、図面を参照して本発明の実施の形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。
【００１０】
図１は、本発明の実施の形態に係るＤＰＦの外観を示す斜視図である。ＤＰＦ２は、ガラスやプラスチック等からなる装置本体４を備え、装置本体４の前面には、鑑賞用の画像や時刻等の情報が電気的に表示される表示部としてのＬＣＤパネル６、ＬＣＤパネル６に表示された画像を鑑賞する鑑賞者の発声する音声を取得するためのマイク８、ＬＣＤパネル６に表示された画像を鑑賞する鑑賞者を撮像するためのカメラ１０、音楽や音声が出力されるスピーカ１２及び図示しないＤＰＦ２の操作用リモコンから出力される赤外線を検出する赤外線検出部１４が設けられている。ここで、マイク８は、前面上端の両側部、スピーカ１２は、前面下端の両側部に配置され、カメラ１０は、前面上端の中央部、赤外線検出部１４は、前面下端の中央部に配置されている。
【００１１】
また、装置本体４の上面には、ＤＰＦ２の電源のオン／オフ状態を切り替える電源スイッチ１６、ＤＰＦ２の機能設定やＬＣＤパネル６の表示設定の際に使用する操作キー１８、ＬＣＤパネル６に表示された画像の評価を行うランキングモードを設定するランキングモードボタン２０が設けられている。また、装置本体４の一方の側面には、画像や音楽等のデータが記憶されたメモリカード２２が挿入されるメモリカードスロット２４、ＵＳＢ機器が接続されるＵＳＢポート２６及びイーサネット（登録商標）規格等のネットワークケーブルが接続されるネットワーク端子２８が設けられている。
【００１２】
図２は、実施の形態に係るＤＰＦのシステム構成を示すブロック図である。ＤＰＦ２の各部を統括的に制御するＣＰＵ３０には、上述の赤外線検出部１４、電源スイッチ１６、操作キー１８、ランキングモードボタン２０、メモリカードスロット２４、ＵＳＢポート２６、ネットワーク端子２８及び画像や音楽等のデータが記憶される内部メモリ３２が接続されている。
【００１３】
また、ＣＰＵ３０には、ＬＣＤパネル６に表示される画像や情報等の表示制御を行なう表示制御部３４、スピーカ１２から出力される音楽や音声の再生制御を行なう再生制御部３６、ＬＣＤパネル６に表示された画像の表示時間を計測するタイマー３８、カメラ１０、カメラ１０の向きを変える駆動部４０、マイク８、カメラ１０から出力された撮像信号を図示しないＡ／Ｄ変換部においてＡ／Ｄ変換することにより生成された画像データを一時的に記憶する画像メモリ４２、マイク８により取得した音声を図示しないＡ／Ｄ変換部においてＡ／Ｄ変換することにより生成された音声データを一時的に記憶する音声メモリ４４、音声データを分析することにより音声の基本周波数を検出する周波数分析部４６、画像の評価に関するキーワードに対応する音声を記憶する音声辞書４８、画像の評価に関するキーワードに対応する音声がマイク８を介して取得した音声データに含まれるか否かを判定する音声判定部５０、カメラ１０により撮像した画像の画像データから人物の顔や眼を認識する顔認識部５２が接続されている。また、ＣＰＵ３０にはフラッシュＲＡＭ５４が接続され、フラッシュＲＡＭ５４には実施の形態にかかるＤＰＦ２全体の制御プログラム、および、後述のフローチャートに示す処理を実行するためのプログラムが格納されている。
【００１４】
次に、図３に示すフローチャートを参照して実施の形態に係るＤＰＦにおけるスライドショー再生処理について説明する。まず、ＣＰＵ３０は、電源スイッチ１６がオンされたと判定すると、マイク８に音声の取得を開始させる（ステップＳ１２）。次に、ＣＰＵ３０は、メモリカードスロット２４を介してメモリカード２２に記憶された画像データを読み出し、画像データに基づく画像を表示制御部３４を介してＬＣＤパネル６に表示させる（ステップＳ１３）。次に、ＣＰＵ３０は、マイク８を介して取得した音声の音量が所定の閾値以上であるか否かの判定を行う（ステップＳ１４）。例えば、音声の音量が通常の会話の音量とされる６０ｄＢ以上であるか否かの判定を行う。そして、音量が所定の閾値以上である場合には、ランキングモードに移行し、ＣＰＵ３０は、ＬＣＤパネル６に表示されている画像に関し、タイマー３８に表示時間の計測を開始させると共に、マイク８を介して取得した音声の音声データの音声メモリ４４への記憶を開始させる。また、ＣＰＵ３０は、カメラ１０を起動して鑑賞者の撮像を開始させ、カメラ１０から出力された撮像信号に基づく画像データを画像メモリ４２に記憶させる（ステップＳ１６）。一方、音量が所定の閾値未満である場合には、ランキングモードボタン２０が押下されたか否かの判定を行う（ステップＳ１５）。ランキングモードボタン２０が押下された場合には、ランキングモードに移行し、表示時間の計測、音声データの記憶を開始してカメラ１０の起動を行い（ステップＳ１６）、ランキングモードボタン２０が押下されなかった場合には、ステップＳ１３の処理に戻る。
【００１５】
次に、ＣＰＵ３０は、マイク８を介して取得した音声に基づいて、鑑賞者が発声する音声の音源の位置を特定する（ステップＳ１７）。ここで、音源の位置は、二つのマイク８を介して取得した音声の到達時間差及び音圧差により特定される。音源の位置が特定された場合には、ＣＰＵ３０による指示に基づき、駆動部４０は、音源の位置の方向を撮像できるようにカメラ１０の向きを音源の位置の方向へ変更する（ステップＳ１８）。次に、ＣＰＵ３０による指示に基づき、周波数分析部４６は、音声メモリ４４から読み出した音声データの音声の周波数を分析することにより鑑賞者の人数を計測し、基本周波数に応じて鑑賞者の性別の判定を行う（ステップＳ１９）。例えば、音声データの音声の周波数から甲、乙、丙、丁という４人の鑑賞者の音声が検出された場合に、甲及び丁の発声する音声の基本周波数が１００〜１５０ＨＺの範囲である場合には甲と丁は成人男性、乙の発声する音声の基本周波数が２００〜３００ＨＺの範囲である場合には乙は成人女性、丙の発声する音声の基本周波数が３５０〜４００ＨＺの範囲である場合には丙は子供であると判定する。
【００１６】
次に、ＣＰＵ３０は、カメラ１０により撮像した画像の画像データを画像メモリ４２から読み出し、顔認識部４８において画像データに含まれる鑑賞者の顔を検出させ、検出させた顔の数から補助的に鑑賞者の人数を計測する（ステップＳ２０）。なお、ＣＰＵ３０は、音声データの音声の周波数を分析することにより人数の計測がうまくできない場合にのみカメラ１０により撮像した鑑賞者の画像の画像データを用いて人数を計測するよう制御してもよい。
【００１７】
次に、ＣＰＵ３０による指示に基づき、音声判定部５０は、音声辞書４８に記憶されている画像の評価に関するキーワードに対応する音声と音声メモリ４４に記憶されている取得音声の音声データに基づく音声を比較することにより、キーワードに対応する音声が音声データに含まれるか否かの判定を行い、判定結果をＣＰＵ３０に出力する。ＣＰＵ３０により、出力された判定結果がキーワードに対応する音声が音声データに含まれることを示す判定結果であると判定された場合には、そのキーワードに基づいた画像の評価を行う（ステップＳ２１）。例えば、音声辞書４８には鑑賞者が良い関心を抱いている場合の加点評価の対象として第１群「いいね」、「かわいい」、「きれい」、「面白い」などのキーワード及び笑い声に対応する音声が、鑑賞者が悪い関心を抱いている場合の評価の対象として第２群「だめ」、「へん」、「いや」などのキーワードに対応する音声が記憶されており（図４参照）、音声判定部５０が音声データに基づく音声から「いいね」、「かわいい」、「きれい」、「面白い」というキーワードや笑い声に対応する音声が含まれると判定した場合には、ＣＰＵ３０は現在表示されている画像に対する評価を上げ（＋１点）、音声判定部５０が「だめ」、「へん」、「いや」というキーワードに対応する音声が含まれると判定した場合には、ＣＰＵ３０は現在表示されている画像に対する評価を下げる（−１点）（図５参照）。図６を参照して具体的に説明すると、例えば、現在ＬＣＤ表示部６に「画像Ａ」という画像が表示され、甲（成人男性）、乙（成人女性）、丙（子供）、丁（成人男性）の音声が検出されている場合に、「かわいい」という乙（成人女性）の声が取得音声の音声データから検出されると、「画像Ａ」の評価において乙（成人女性）の評価を（＋１点）上げる。
【００１８】
次に、ＣＰＵ３０は、操作キー１８の操作が行われたか否かの判定を行い、操作キー１８の操作内容に基づいて画像の評価を行う（ステップＳ２２）。例えば、「一時停止」などの操作があった場合には評価を（＋１点）上げ、現在の画像が表示されてから所定時間以内（例えば１秒以内）に「送り」などの操作があった場合には評価を（−１点）下げる（図５参照）。図６を用いて説明すると、現在ＬＣＤ表示部６に「画像Ａ」という画像が表示され、甲（成人男性）、乙（成人女性）、丙（子供）、丁（成人男性）の音声が検出されている場合に、「一時停止」の操作があった場合には、「画像Ａ」の評価を（＋１点）上げる。なお、操作キー１８による評価の評価点数は４人に均等に分配され、甲、乙、丙、丁の評価をそれぞれ（＋０．２５点）上げる。次に、ＣＰＵ３０は、タイマー３８により計測した画像の表示時間に基づいて画像の評価を行う（ステップＳ２３）。例えば、計測時間が予め設定されている画像表示時間よりも長い場合には評価を（＋１点）上げ、短い場合には評価を（−１点）下げる（図５参照）。図６を用いて説明すると、「画像Ａ」の表示時間が予め設定されている時間よりも長くなった場合には、甲、乙、丙、丁の評価をそれぞれ（＋０．２５点）上げる。
【００１９】
次に、ＣＰＵ３０は、ＬＣＤパネル６に次の画像の表示が行われたか否かの判定を行う（ステップＳ２４）。次の画像の表示が行われた場合には、次の画像について音源の特定、画像の評価を行い（ステップＳ１７〜２３）、次の画像の表示が行われない場合には、ランキングモードボタン２０が再度押下されたか否かの判定を行う（ステップＳ２５）。ランキングモードボタン２０が再度押下された場合にはランキングモードを終了し、ＣＰＵ３０は、評価を行った画像の画像データの集計を行い（ステップＳ２６）、ＬＣＤパネル６に画像の評価の結果を表示する（ステップＳ２７）。一方、ランキングモードボタン２０が押下されなければ次の画像が表示されるのを待って、次の画像についての評価を行う（ステップＳ１９〜２３）。
【００２０】
例えば集計では、図７のように、ＣＰＵ３０は、今まで評価が行われた各画像に関して鑑賞者の性別ごとに集計値を算出する。ここで、図７における「画像Ａ」の集計値は、図６を例に説明した「画像Ａ」の評価点数をまとめたものであるが、各性別一人に対する評価点数を示している。即ち、「画像Ａ」の評価対象となる成人男性は甲と丁の２人であるため、成人男性の集計値は甲と丁の合計評価点数（０．５＋０．５＝１．０）を２で除算した値（０．５）が算出される。また、「画像Ａ」の評価対象となる成人女性は乙１人であるため、成人女性の集計値は図６における合計評価点数（１．５）をそのまま集計値に反映させる。また、子供も成人女性と同様に１人であるため、図６における合計評価点数（０．５）をそのまま集計値に反映させる。また、「画像Ｂ」以下の評価点数についても、「画像Ａ」の場合と同様に集計している。
【００２１】
次に、ＣＰＵ３０は、集計値に基く図７に示すランキング表をＬＣＤパネル６に表示させる（ステップＳ２８）。なお、ランキングの集計が行われた画像データに基づく画像をスライドショー表示する際には、評価の高い順に画像の表示を行う。例えば、図７のランキング表に示す総合集計値に従って、「画像Ｄ」、「画像Ｂ」、「画像Ｃ」、「画像Ａ」の順に画像の表示を行う。また、操作者により成人男性の評価の高い順に画像を表示する設定がなされた場合には、成人男性の集計値に従って、「画像Ｂ」、「画像Ｄ」、「画像Ｃ」、「画像Ａ」の順に画像の表示を行う。また、成人女性の評価の高い順に画像を表示する設定がなされた場合には、「画像Ｄ」、「画像Ａ」、「画像Ｃ」、「画像Ｂ」の順に、子供の評価の高い順に画像を表示する設定がなされた場合には、「画像Ｄ」、「画像Ｂ」、「画像Ｃ」、「画像Ａ」の順に画像の表示を行う。
【００２２】
本実施の形態に係るＤＰＦによれば、マイク８により取得した音声の音声データを分析することにより、発声した音声に基づいた画像評価を行うことができる。また、鑑賞者の発声する音声が所定の音量以下である場合、ランキングモードは、操作者の操作により設定されるため、鑑賞者が表示されている画像に興味を示していない場合などには、操作者の判断によりランキングモードを設定するか否かを決定することができる。一方、音声が所定の音量を超える場合には、操作者の操作によらずランキングモードが設定されるため、例えば、鑑賞者が画像を見て盛り上がっている場合などには、ランキングモードを設定する手間を省くことができる。
【００２３】
また、ランキングモードの設定がなされた時にカメラ１０が起動し撮像が開始されるため、常時カメラ１０を駆動する必要がなくなる。これにより、ＤＰＦの消費電力を削減できる。また、マイク８を二つ設けることにより、それぞれのマイク８から取得した音声の到達時間差及び音圧差から正確な音源位置を算出することができる。また、マイク８を二つ設けることにより、マイク８の指向性を広げ、複数人数の音声の検出を容易に行うことができる。また、マイク８が装置本体４の両側部に一定の距離を置いて配置されることにより、音源位置の識別精度を向上させることができる。また、カメラ１０により撮像した鑑賞者の画像の画像データを用いて人数を補助的に計測することで、例えば、音声データにおいて周波数を十分に分析することができず、音声データから計測した人数と画像データから計測した人数とが異なる場合には、音声データから計測した人数を画像データから計測した人数に修正することにより、正確な画像評価を行うことができる。また、マイク８を介して鑑賞者の発声する音声の音源の位置を検出すると、カメラ１０を音源の位置の方向に向けて撮像を行うため、操作者がカメラ１０の向きを音源の位置の方向に変更する必要がない。
【００２４】
なお、上述の実施の形態においては、一つの音声辞書４８に全てのキーワードに対応する音声を記憶しているが、複数の音声辞書４８を備えてもよい。例えば、好意的なキーワードに対応する音声を記憶する第１音声辞書と否定的なキーワードに対応する音声を記憶する第２音声辞書とを備えるようにしてもよい。
【００２５】
また、上述の実施の形態においては、カメラ１０の向きを音源の位置の方向に変更しているが、新たに、マイク８の集音方向を変更させるマイク駆動部を設け、ＣＰＵ３０の指示に基いてマイク駆動部によりマイク８の向きを音源の位置の方向に変更するようにしてもよい。これにより、鑑賞者の発声する音声を正確に取得することができる。また、カメラ１０に広角レンズを備えるようにしてもよい。これにより、カメラ１０の向きを音源の位置の方向に変更しなくても鑑賞者を撮像することができる。
【００２６】
また、上述の実施の形態においては、音声データに基づく音声にキーワードに対応する音声が含まれているか否かを判定することにより画像の評価を行っているが、音量に基づいて評価を行うようにしてもよい。例えば、マイク１０から取得した音声の音量をＣＰＵ３０により判定し、その音声の音量が６５ｄＢ以上と判定された場合であり、かつ、音声判定部５０が音声データに基づく音声から図４の第１群に示す音声を検知した場合には、ＣＰＵ３０は現在の画像に対する評価を（＋２点）上げるようにしてもよい。また、ＣＰＵ３０により取得音声の音量が６５ｄＢ未満と判定された場合であり、かつ、音声判定部５０が音声データに基づく音声から図４の第２群に示す音声を検知した場合には、ＣＰＵ３０は現在の画像に対する評価を（―２点）下げるようにしてもよい。これにより、鑑賞者が画像に感動して大きな声を出した場合などを考慮した評価を行うことができる。
【００２７】
また、上述の実施の形態においては、音声により性別を識別しているが、カメラ１０により撮像した鑑賞者の画像の画像データを用いて性別の判定を行うようにしてもよい。例えば、画像データを用いて、髪型、化粧、ひげなどを識別することにより性別の判定を行うようにしてもよい。これにより、音声から性別を判定できない場合においても、補助的に画像データを用いて性別の判定を行うことができる。
【００２８】
また、上述の実施の形態においては、画像データを用いて鑑賞者の人数を識別しているが、カメラ１０により撮像した鑑賞者の画像の画像データを用いて鑑賞者の年齢を識別できるようにしてもよい。例えば、鑑賞者のしわや顔の形（皮膚のたるみ）などから鑑賞者の年齢を判断するようにしてもよい。これにより、鑑賞者の年齢層を分類したランキングを作成することができる。
【００２９】
また、上述の実施の形態においては、操作キー１８の操作内容に基づいて現在表示されている画像の評価を行っているが、他の画像の評価ができるようにしてもよい。例えば、「画像Ｂ」が表示されている場合において「戻り」の操作により「画像Ａ」が表示された場合、戻された元の画像である「画像Ａ」の評価を（＋１点）上げてもよい。
【００３０】
また、上述の実施の形態においては、撮像された画像に含まれる人の顔を検出することにより人数の計測を行っているが、計測した人数に基づいて画像の評価を行ってもよい。例えば、１０人以上の人数を計測した場合には評価を（＋１点）上げ、５人以下の人数を計測した場合には評価を（−１点）下げるようにしてもよい。これにより、鑑賞者の注目度を考慮した評価を行うことができる。また、計測した人数の変化に基づいて画像の評価を行ってもよい。例えば、所定時間内に人数が２人以上増加した場合には評価を（＋１点）上げ、２人以上減少した場合には評価を（−１点）下げるようにしてもよい。ここで、人数の変化は、所定の時間間隔を置いて同一の画像を表示した場合において撮像された鑑賞者の画像に含まれる人の顔の数等を検討することにより検出してもよい。
【００３１】
また、上述の実施の形態においては、操作キー１８を操作することによりＬＣＤパネル６に表示する画像を変更し、画像を変更する際の操作内容に基づいて画像の評価を行っているが、音声操作によりＬＣＤパネル６に表示する画像を変更し、画像を変更する際の音声の内容に基づいて画像の評価を行ってもよい。例えば、図８に示すように、鑑賞者の関心を示すキーワードに加えて音声操作のキーワードを音声辞書４８に記憶させるようにしてもよい。なお、図８のＡ類に示すキーワードは、図４に示した鑑賞者の関心を示すキーワードであり、Ｂ類及びＣ類に示すキーワードは、音声操作のキーワードである。また、Ａ類及びＢ類は、現在ＬＣＤ表示部６に表示されている画像を評価するためのキーワードであり、Ｃ類に示すキーワードは前の画像を評価するためのキーワードである。以下、Ｂ類及びＣ類に示す音声操作のキーワードの音声が検知された場合における画像の評価等について説明する。
【００３２】
例えば、現在の「画像Ａ」という画像が表示されてから所定時間以内（例えば２秒以内）に音声判定部５０が音声データに基づく音声から図８のＢ類の第１群に示す「停止」、「待って」、「ストップ」などの音声を検知した場合には、ＣＰＵ３０は「画像Ａ」に対する評価を（＋１点）上げるとともに、現在の画像である「画像Ａ」を継続して表示させる。また、音声判定部５０が音声データに基づく音声から図８のＢ類の第２群に示す「次」、「送り」、「スキップ」などの音声を検知した場合には、ＣＰＵ３０は「画像Ａ」に対する評価を（−１）下げるとともに、次の画像である「画像Ｂ」を表示させるよう制御する。
【００３３】
また、「画像Ｂ」が表示されている場合において、音声判定部５０が音声データに基づく音声からＣ類の第１群に示す「前へ」、「戻れ」などの音声を検知した場合には、ＣＰＵ３０は前の画像である「画像Ａ」を表示させる制御を実行するとともに「画像Ａ」に対する評価を（＋１点）上げる。さらに、音声判定部５０が音声データに基づく音声から「ズーム」、「拡大」などの音声を検知した場合には、ＣＰＵ３０は現在の画像を拡大表示させる制御を実行するとともに評価を（＋１点）上げるようにしてもよい。これにより、操作キー１８を操作しなくてもスライドショーにより表示された画像の評価を行うことができる。
【００３４】
また、上述の実施の形態においては、当初検出した鑑賞者により画像の評価を行っているが（図６参照）、途中で新たに検出した鑑賞者による評価を加え、また、途中で検出されなくなった鑑賞者による評価を削除するようにしてもよい。例えば、図９（ａ）に示すように、ＬＣＤ表示部６に「画像Ａ」という画像が表示され、甲（成人男性）、乙（成人女性）、丙（子供）、丁（成人男性）の音声が検出されたとする。数秒後に丁（成人男性）の音声が検出されなくなった場合には、図９（ｂ）に示すように「評価内容」から丁（成人男性）による評価を削除するようにしてもよい。この場合、「画像Ａ」に対して、甲（成人男性）、乙（成人女性）、丙（子供）による評価が行われることになる。なお、「一時停止」の操作があった場合の評価（＋１点）及び「画像Ａ」の表示時間が予め設定されている時間よりも長くなった場合の評価（＋１点）の評価点数は３人に均等に分配され、甲、乙、丙の評価をそれぞれ（＋０．３３点）上げる。また、丙（子供）の笑い声などが新たに検出された場合には、丙（子供）の評価を（＋１点）上げる。
【００３５】
また、ＬＣＤ表示部６に「画像Ａ」という画像が表示され、甲（成人男性）、乙（成人女性）、丙（子供）、丁（成人男性）の音声が検出された場合において（図９（ａ）参照）、数秒後に、新たに戊（成人女性）の音声が検出されたとする。この場合、図９（ｃ）に示すように「評価内容」に新たに戊による評価を加えるようにしてもよい。なお、「一時停止」の操作があった場合の評価（＋１点）及び「画像Ａ」の表示時間が予め設定されている時間よりも長くなった場合の評価（＋１点）の評価点数は５人に均等に分配され、甲、乙、丙、丁、戊の評価をそれぞれ（＋０．２点）上げる。また、「いいね」などの丁（成人男性）の声が新たに検出された場合には、丁（成人男性）の評価を（＋１点）上げる。
【００３６】
また、上述の実施の形態においては、一般的なスライドショーにおいて画像の評価を行っているが、画像の評価専用のスライドショー機能を設けてもよい。例えば、評価を行いたい画像の画像データをランキングモード用のフォルダに記憶させ、ランキングモード用のフォルダ内の画像データに基づく画像をスライドショーとして順次ＬＣＤパネル６に表示してもよい。
【００３７】
また、上述の実施の形態において、ランキングの集計が行われた画像に基づく画像をスライドショー表示する際には、評価の高い順に画像の表示を行うことになるが、評価が所定の評価点数以下の画像データは別のフォルダへ移動させるようにしてもよい。これにより、例えば、不要な画像データを削除する際に、削除してよい画像データを判別しやすくなる。また、複数のフォルダを設け、評価点数に応じて画像データを異なるフォルダに記憶するようにしてもよい。例えば、１０点〜７点なら第１フォルダ、６点〜４点なら第２フォルダ、３点〜０点なら第３フォルダに記憶するようにしてもよい。
【００３８】
また、上述の実施の形態において、鑑賞者の人数の計測及び性別の判定を行っているが、鑑賞者の性別比率に応じて表示する画像の順位を変更してもよい。例えば、鑑賞者の過半数が男性である場合には、男性の評価が高い画像を優先して表示し、鑑賞者の過半数が女性である場合には、女性の評価が高い画像を優先して表示するようにしてもよい。これにより、鑑賞者に適した画像を表示することができる。
【００３９】
また、ランキングを行う際に、画像データにランキングを行った日時を記憶させるようにしてもよい。これにより、例えば、四季に応じて画像データを分類し、季節ごとのランキングを行うことができる。スライドショー表示の際には、現在の季節において評価の高かった画像を優先的に表示することもできる。
【００４０】
また、ＣＰＵ３０は、所定の評価値以上の画像、または、所定のランキング順位以内の画像が誤って消去されないように保護してもよい。
【００４１】
また、図１０に示すように、ＣＰＵ３０は、評価の高かった順番に画像に順位を付け、その順位を対応する画像の表示時に重畳させて表示させるよう制御してもよい。この場合、音声に基づいて評価を行ったことが分かるようなスピーカを示すマークを順位の周辺に表示させてもよい。また、ＬＣＤパネル６とは別の表示部をＤＰＦ２の枠部分に設け、その枠部分の表示部に順位を表示してもよい。
【００４２】
また、順位を表示する代わりに、図１０に示したスピーカのマークの大きさや数を変更させて表示してもよい。この場合、ＣＰＵ３０は、高い評価の画像を表示する場合には、スピーカのマークを大きく、または、スピーカのマークを多く表示させるよう制御する。これにより、表示画像が音声に基いて評価された旨と評価の高さとを目視化できる。
【符号の説明】
【００４３】
２…ＤＰＦ、４…装置本体、６…ＬＣＤパネル，８…マイク、１０…カメラ、１２…スピーカ、１４…赤外線検出部、１６…電源スイッチ、１８…操作キー、２０…ランキングモードボタン、２４…メモリカードスロット、２６…ＵＳＢポート、２８…ネットワーク端子。
【図１】
2011130317.tif 000003
【図２】
2011130317.tif 000004
【図３】
2011130317.tif 000005
【図４】
2011130317.tif 000006
【図５】
2011130317.tif 000007
【図６】
2011130317.tif 000008
【図７】
2011130317.tif 000009
【図８】
2011130317.tif 000010
【図９】
2011130317.tif 000011
【図１０】
2011130317.tif 000012